(57)【要約】【課題】ブラシから風を均一に噴出させるとともに、噴出する風の量を十分に確保する。【解決手段】ヘアドライヤー用ブラシ１０は、内部に送風路７を有するケース１と、送風路７と連通して設けられた複数の空気噴出孔５と、空気噴出孔５の近傍に突設された複数のブリッスル３と、ケース１内に設けられ、ヘアドライヤー本体から送風路７に流入した風を空気噴出孔５へ案内する複数の第１案内壁１１ａ、１１ｂとを備えている。案内壁１１ｂは、案内壁１１ａより高さが高くなっている。これらの第１案内壁１１ａ、１１ｂは、それぞれの案内壁に対応する空気噴出孔５の近傍に設けられていて、送風路７の先端側に向って空気噴出孔５より前方の位置において、ブリッスル３の突出方向と反対の方向へ突出している。【選択図】図５
2019024680.tif 000002
【特許請求の範囲】
【請求項１】
ヘアドライヤー本体の空気吹出口に着脱可能に取り付けられるブラシであって、
内部に送風路を有するケースと、
前記送風路と連通して設けられた複数の空気噴出孔と、
前記空気噴出孔の近傍に突設された複数のブリッスルと、
前記ケースの内部に設けられ、前記ヘアドライヤー本体から前記送風路に流入した風を前記空気噴出孔へ案内する第１案内壁と、を備え、
前記第１案内壁は、前記送風路の先端側に向って高さが高くなる複数の案内壁からなるヘアドライヤー用ブラシにおいて、
前記第１案内壁は、それぞれの案内壁に対応する前記空気噴出孔の近傍に設けられていて、前記送風路の先端側に向って前記空気噴出孔より前方の位置において、前記ブリッスルの突出方向と反対の方向へ突出している、ことを特徴とするヘアドライヤー用ブラシ。
【請求項２】
請求項１に記載のヘアドライヤー用ブラシにおいて、
前記ケースの内部における、前記第１案内壁が設けられている側と反対側に、前記第１案内壁に当たって前記空気噴出孔と反対の方向へ流れる風を、前記空気噴出孔の方向へ案内する第２案内壁が設けられている、ことを特徴とするヘアドライヤー用ブラシ。
【請求項３】
請求項２に記載のヘアドライヤー用ブラシにおいて、
前記第２案内壁は、前記複数の第１案内壁のそれぞれより前記送風路の先端側に位置している、ことを特徴とするヘアドライヤー用ブラシ。
【請求項４】
請求項２に記載のヘアドライヤー用ブラシにおいて、
前記第２案内壁は、前記送風路の先端側に向って高さが高くなる複数の案内壁からなり、
前記第１案内壁と前記第２案内壁とは、前記送風路に沿って交互に配列されている、ことを特徴とするヘアドライヤー用ブラシ。
【請求項５】
請求項１ないし請求項４のいずれかに記載のヘアドライヤー用ブラシにおいて、
前記複数の空気噴出孔の全てに対応して、それぞれ前記第１案内壁が設けられている、ことを特徴とするヘアドライヤー用ブラシ。
【請求項６】
請求項１ないし請求項５のいずれかに記載のヘアドライヤー用ブラシにおいて、
前記第１案内壁の先端部に、当該第１案内壁に当たった風が前記空気噴出孔と反対方向へ流れるのを阻止する突出部が設けられている、ことを特徴とするヘアドライヤー用ブラシ。
【請求項７】
請求項２ないし請求項６のいずれかに記載のヘアドライヤー用ブラシにおいて、
前記ケースは、
前記ブリッスル側に開口する開口部を備えたケース本体と、
前記開口部を塞ぐように前記ケース本体に取り付けられ、前記送風路および前記空気噴出孔を連通させる連通孔を有する基台と、からなり
前記基台の前記ブリッスル側の面に、前記ブリッスルと前記空気噴出孔とが設けられたブラシ体が装着されており、
前記基台の前記ブリッスルと反対側の面に、前記第１案内壁が設けられており、
前記ケース本体の前記基台と対向する面に、前記第２案内壁が設けられている、ことを特徴とするヘアドライヤー用ブラシ。
【請求項８】
請求項２ないし請求項７のいずれかに記載のヘアドライヤー用ブラシにおいて、
前記第１案内壁および前記第２案内壁は、前記送風路に流入した風が通過する切欠き部が形成されたアーチ形の案内壁である、ことを特徴とするヘアドライヤー用ブラシ。
【請求項９】
請求項１ないし請求項８のいずれかに記載のヘアドライヤー用ブラシと、
前記ブラシが空気吹出口に着脱可能に取り付けられるヘアドライヤー本体と、
から構成されることを特徴とするブラシ付ヘアドライヤー。
【請求項１０】
請求項９に記載のブラシ付ヘアドライヤーにおいて、
前記ヘアドライヤー本体は、前記空気吹出口付近に、マイナスイオン発生部材と遠赤外線発生部材とを備えている、ことを特徴とするブラシ付ヘアドライヤー。
【発明の詳細な説明】
【技術分野】
【０００１】
本発明は、ドライヤー本体に取り付けられるブラシと、このブラシを取り付けたヘアドライヤーに関する。
【背景技術】
【０００２】
一般家庭やヘアサロンなどで使用されるヘアドライヤーには、ドライヤー本体の空気吹出口に、ブローブラシやロールブラシなどが着脱可能に取り付けられる仕様のものがある（たとえば特許文献１、特許文献２を参照）。このようなアタッチメントとしてのブラシは、ドライヤー本体から供給される温風を、多数の空気噴出孔から噴出させて毛髪に吹き付けながら、毛髪にカール処理を施したり、毛髪にボリューム感を与えたりする目的で使用される。
【０００３】
しかしながら、ドライヤー本体からブラシへ供給された風が、ブラシの空気噴出孔から均一に噴出しないと、毛髪に当たる風の分布に偏りが生じ、毛髪に対して所望のカール付けをしたり、ボリューム感を出したりすることが難しくなる。この対策として、特許文献３では、ブラシ内の送風路に、風を分流して各空気噴出孔から略均一に噴出させるための複数の案内壁を設けている。
【０００４】
図１０は、特許文献３に開示されているブラシを模式的に示した断面図である。図１０において、ブラシ５０は、ケース５１と、複数のブリッスル５４とを備えている。ケース５１には、ブリッスル５４の近傍に、ドライヤー本体（図示省略）から供給される風が噴出する複数の空気噴出孔５２が設けられている。また、ケース５１には、空気噴出孔５２と反対側に、複数の案内壁５３ａ〜５３ｄが各空気噴出孔５２と対応して設けられている。各案内壁５３ａ〜５３ｄは、ケース５１の内壁から送風路５５へ突出するように設けられていて、送風路５５の先端側（図１０で左側）に行くほど、壁の高さが高くなっている。ドライヤー本体から供給される風は、送風路５５を通過する過程で、順次、案内壁５３ａ〜５３ｄに当って矢印のように分流し、空気噴出孔５２の方向へ案内されて、各空気噴出孔５２から噴出する。
【先行技術文献】
【特許文献】
【０００５】
【特許文献１】特開平８−２５６８２４号公報
【特許文献２】特開２０１１−１８３２２１号公報
【特許文献３】特許第２７３１２００号公報
【発明の概要】
【発明が解決しようとする課題】
【０００６】
図１１は、図１０のような案内壁５３ａ〜５３ｄを設けた場合の、実際の風の流れを、模式的に示している。実線の矢印で示したように、ドライヤー本体から流入した風は、案内壁５３ａ〜５３ｄに当ることによって方向が変化するが、案内壁５３ａ〜５３ｄに当った風が、全て空気噴出孔５２の方向に向うわけではない。
【０００７】
たとえば、案内壁５３ａ〜５３ｄに当った風の一部は上方へ進むが、ケース５１の案内壁５３ａ〜５３ｄ間には、外部と連通する透孔が存在しないため、符号Ａで示したように、上方へ進んだ風は案内壁５３ａ〜５３ｄ間に滞留し、流れが悪くなる。また、案内壁５３ａ〜５３ｄに当って下方へ向おうとする風は、後ろから来る風に押し流され、符号Ｂで示したように、前方へ向う。こうしたことから、ドライヤー本体から供給される風のうち、案内壁５３ａ〜５３ｄに当って下方へ向う風（破線）の割合が少なくなり、空気噴出孔５２から十分な量の風が噴出しないという問題がある。
【０００８】
本発明の課題は、風を均一に噴出できるとともに、噴出する風の量を十分に確保することが可能なヘアドライヤー用ブラシおよびブラシ付ヘアドライヤーを提供することにある。
【課題を解決するための手段】
【０００９】
本発明に係るヘアドライヤー用ブラシは、ヘアドライヤー本体の空気吹出口に着脱可能に取り付けられるブラシであって、内部に送風路を有するケースと、この送風路と連通して設けられた複数の空気噴出孔と、この空気噴出孔の近傍に突設された複数のブリッスルと、ケースの内部に設けられ、ヘアドライヤー本体から送風路に流入した風を空気噴出孔へ案内する第１案内壁とを備えている。第１案内壁は、送風路の先端側に向って高さが高くなる複数の案内壁からなる。本発明では、第１案内壁が、それぞれの案内壁に対応する空気噴出孔の近傍に設けられていて、送風路の先端側に向って空気噴出孔より前方の位置において、ブリッスルの突出方向と反対の方向へ突出している。
【００１０】
このような構成によると、送風路に流入した風が順次、第１案内壁に当って分流し、それぞれの案内壁に対応する空気噴出孔から噴出するので、各空気噴出孔から噴出する風を均一化することができる。また、第１案内壁が、空気噴出孔の近傍に設けられていて、送風路の先端側に向って空気噴出孔より前方に位置しているので、第１案内壁に当った風を容易に空気噴出孔に導くことができる。このため、送風路に流入した風を各空気噴出孔から効率良く噴出させることができ、これによって十分な風量を確保することができる。
【００１１】
本発明の好ましい実施形態によれば、ケースの内部における、第１案内壁が設けられている側と反対側に、第１案内壁に当たって空気噴出孔と反対方向へ流れる風を、空気噴出孔の方向へ案内する第２案内壁が設けられている。
【００１２】
本発明において、第２案内壁は、複数の第１案内壁のそれぞれより送風路の先端側に位置していてもよい。また、第２案内壁は、送風路の先端側に向って高さが高くなる複数の案内壁からなり、第１案内壁と第２案内壁とは、送風路に沿って交互に配列されていてもよい。
【００１３】
本発明において、複数の空気噴出孔の全てに対応して、それぞれ第１案内壁が設けられていてもよい。
【００１４】
本発明において、第１案内壁の先端部には、当該第１案内壁に当たった風が空気噴出孔と反対方向へ流れるのを阻止する突出部が設けられていてもよい。
【００１５】
本発明において、ケースは、ブリッスル側に開口する開口部を備えたケース本体と、開口部を塞ぐようにケース本体に取り付けられ、送風路および空気噴出孔を連通させる連通孔を有する基台とから構成されていてもよい。そして、基台のブリッスル側の面に、ブリッスルと空気噴出孔とが設けられたブラシ体が装着され、基台のブリッスルと反対側の面に、第１案内壁が設けられ、ケース本体の基台と対向する面に、第２案内壁が設けられていてもよい。
【００１６】
本発明の好ましい実施形態によれば、第１案内壁および第２案内壁は、送風路に流入した風が通過する切欠き部が形成されたアーチ形の案内壁である。
【００１７】
本発明に係るブラシ付ヘアドライヤーは、上述したヘアドライヤー用ブラシと、  当該ブラシが空気吹出口に着脱可能に取り付けられるヘアドライヤー本体とから構成される。
【００１８】
本発明の好ましい実施形態によれば、ヘアドライヤー本体は、空気吹出口付近に、マイナスイオン発生部材と遠赤外線発生部材とを備えている。
【発明の効果】
【００１９】
本発明によれば、風を均一に噴出できるとともに、噴出する風の量を十分に確保することが可能なヘアドライヤー用ブラシおよびブラシ付ヘアドライヤーを提供することができる。
【図面の簡単な説明】
【００２０】
【図１】本発明のブラシ付ヘアドライヤーの一例を示す外観図である。
【図２】本発明のヘアドライヤー用ブラシの一例を示す正面図である。
【図３】図２のＡ−Ａ断面図である。
【図４】図３を右方向から見た図である。
【図５】ブラシ内部の風の流れを模式的に示す図である。
【図６】本発明の他の実施形態によるブラシの内部構造と風の流れを模式的に示す図である。
【図７】本発明の他の実施形態によるブラシの内部構造と風の流れを模式的に示す図である。
【図８】本発明の他の実施形態によるブラシの内部構造を模式的に示す図である。
【図９】本発明の他の実施形態による第１案内壁と第２案内壁の概略図である。
【図１０】従来例によるブラシの内部構造と風の流れを模式的に示す図である。
【図１１】図１０における実際の風の流れを模式的に示す図である。
【発明を実施するための形態】
【００２１】
以下、本発明の実施形態につき、図面を参照しながら説明する。各図において、同一の部分または対応する部分には、同一符号を付してある。まず、本実施形態に係るブラシ付ヘアドライヤーおよびブラシの構造を、図１〜図４を参照しながら説明する。
【００２２】
図１に示すように、ブラシ付ヘアドライヤー１００（以下「ヘアドライヤー１００」と表記）は、ブローブラシからなるヘアドライヤー用ブラシ１０（以下「ブローブラシ１０」と表記）と、ヘアドライヤー本体２０（以下「ドライヤー本体２０」と表記）とから構成される。
【００２３】
ヘアドライヤー１００は、髪に温風を吹き付けながら、髪にカール処理を施すためのカールドライヤーであって、一般家庭やヘアサロンなどで使用されるものである。
【００２４】
ブローブラシ１０は、ドライヤー本体２０の空気吹出口２２に着脱可能に取り付けられるカール用のブラシであって、ケース１と、このケース１に保持されたブラシ体２とから構成される。ケース１は、図３に示すように、内部に送風路７を有する中空の筒状体であって、ケース本体１ａおよび基台１ｂからなる。ブラシ体２は、複数のブリッスル３およびテンションコーム４を有するとともに、図２に示すように、複数の空気噴出孔５を有している。図３に示すように、ブラシ体２は、基台１ｂの表面すなわちブリッスル３側の面に装着されている。
【００２５】
ケース本体１ａは、図１および図３に示すように、ブリッスル３側に開口する開口部１ｃを備えており、この開口部１ｃを塞ぐように、基台１ｂがケース本体１ａに取り付けられている。図４に示すように、基台１ｂは半円弧状に形成されている。基台１ｂには、図３に示すように、複数の連通孔６が形成されている。この連通孔６は、ブラシ体２の空気噴出孔５（図２）と対応する位置に設けられていて、ケース１内の送風路７と空気噴出孔５とを連通させている。図２に示すように、ブリッスル３は、空気噴出孔５の近傍に突設されている。
【００２６】
図２および図３に示すように、ケース１の基端側（図で右側）には、ドライヤー本体２０（図１）から供給される風の一部がブリッスル３に向けて吹き出す窓部８が設けられている。また、ケース１の基端側の端部には、ドライヤー本体２０と係合する係合部９が設けられている。
【００２７】
ドライヤー本体２０は、図１に示すように、手で把持される円筒状の把持部２１を備えており、この把持部２１の先端部に空気吹出口２２が設けられているとともに、後端部に空気吸込口２７および電源コード２８が設けられている。また、把持部２１の外面には、図示しない電源スイッチが設けられている。把持部２１の内部には、ヒータを備えた発熱部２３と、ファンやモータを備えた送風部２４と、マイナスイオンを発生するマイナスイオン発生部材２５と、遠赤外線を発生する遠赤外線発生部材２６とが内蔵されている。
【００２８】
マイナスイオン発生部材２５と遠赤外線発生部材２６は、空気吹出口２２付近に配置されている。発熱部２３は、遠赤外線発生部材２６と送風部２４の間に配置されている。マイナスイオン発生部材２５は、たとえば酸化ジルコニウムの粉末を含むセラミックからなり、遠赤外線発生部材２６は、たとえば温光石などの天然鉱石の粉末を含むセラミックからなる。これらの各部材２５、２６は、空気吹出口２２に装着された図示しないホルダーに保持されている。
【００２９】
送風部２４のファン（図示省略）が回転すると、空気吸込口２７から空気が吸い込まれ、ファンの回転によって発生した風は、発熱部２３の熱により温風となって、空気吹出口２２から吹き出し、ブローブラシ１０のケース１内へ供給される。このとき、マイナスイオン発生部材２５が温風により加熱されるので、当該部材２５からマイナスイオンが発生し、発生したマイナスイオンは、温風とともにブローブラシ１０のケース１内へ供給される。同様に、遠赤外線発生部材２６も温風により加熱されるので、当該部材２６から遠赤外線が発生し、発生した遠赤外線は、温風とともにブローブラシ１０のケース１内へ供給される。すなわち、ブローブラシ１０には、ドライヤー本体２０から風、熱、マイナスイオン、遠赤外線の４つのエネルギーが供給される。
【００３０】
図３に示すように、ブローブラシ１０のケース１内には、ドライヤー本体２０から送風路７に流入した風を空気噴出孔５（図２）へ案内する複数の第１案内壁１１ａ、１１ｂと、第１案内壁１１ａ、１１ｂに当たって空気噴出孔５と反対の方向へ流れる風を、空気噴出孔５の方向へ案内する第２案内壁１２とが設けられている。これらの案内壁１１ａ、１１ｂ、１２は、風の流れる方向（図３で右から左へ向う方向）と直交する方向に延びている。
【００３１】
第１案内壁１１ａ、１１ｂは、基台１ｂの裏面すなわちブリッスル３と反対側の面に設けられており、案内壁１１ｂの高さは、案内壁１１ａの高さより高くなっている。すなわち、第１案内壁は、送風路７の先端側（図３で左側）に向って高さが高くなる複数（本例では２つ）の案内壁からなる。また、後述の図５に示すように、第１案内壁１１ａ、１１ｂは、それぞれの案内壁に対応する空気噴出孔５の近傍に設けられていて、送風路７の先端側（図５で左側）に向って空気噴出孔５より前方の位置において、ブリッスル３の突出方向（図５で下方向）と反対の方向（図５で上方向）へ突出している。
【００３２】
第２案内壁１２は、図３に示すように、ケース１の内部における、第１案内壁１１ａ、１１ｂが設けられている側（図３で下側）と反対側（図３で上側）に設けられている。詳しくは、第２案内壁１２は、ケース本体１ａの基台１ｂと対向する面に、ケース本体１ａと一体に設けられていて、ブリッスル３の突出方向（図３で下方向）と同じ方向へ突出している。本例では、第２案内壁１２は１つだけ設けられており、第１案内壁１１ａ、１１ｂのそれぞれより送風路７の先端側に位置している。
【００３３】
図４に示すように、第１案内壁１１ａ、１１ｂは、それぞれ、送風路７に流入した風が通過する円弧状の切欠き部１３ａ、１３ｂが形成されたアーチ形の案内壁となっている。また、第２案内壁１２も、送風路７に流入した風が通過する円弧状の切欠き部１４が形成されたアーチ形の案内壁となっている。
【００３４】
次に、ブローブラシ１０の内部における風の流れについて、図５を参照しながら説明する。図５は、図３の構造を模式的に表したものであって、簡略化のために、図３の基台１ｂやブラシ体２をケース１と一体化して描いてある。また、図３の連通孔６も、図２の空気噴出孔５と一体化して描いてある。
【００３５】
図５において、Ｘ１〜Ｘ５は、ドライヤー本体２０から供給される風を示している。それぞれの風は、矢印で示されるような経路で送風路７を流れる。勿論、実際の風の流れは、図示したような単純なものではないが、ここでは本発明の理解を容易にするため、風の流れを模式化してある（後述の図６〜図８も同様）。
【００３６】
ドライヤー本体２０から供給される風のうち、風Ｘ１は、送風路７へ流入せずに窓部８から吹き出す風であり、風Ｘ２〜Ｘ５は、送風路７へ流入する風である。風Ｘ２は、送風路７へ流入した後、第１案内壁１１ａに当り、ここで下方向に向かう風と上方向に向う風とに分かれる。下方向に向かう風は、実線で示すように、第１案内壁１１ａの手前にある空気噴出孔５から噴出する。一方、上方向に向う風は、破線で示すように、風Ｘ３〜Ｘ５で流されながら第２案内壁１２へ向かい、第２案内壁１２に当った後、下方向に向きを変えて下降し、第２案内壁１２の下方にある空気噴出孔５から噴出する。
【００３７】
風Ｘ３は、送風路７へ流入した後、第１案内壁１１ｂに当り、ここで下方向に向かう風と上方向に向う風とに分かれる。下方向に向かう風は、実線で示すように、第１案内壁１１ｂの手前にある空気噴出孔５から噴出する。一方、上方向に向う風は、破線で示すように、風Ｘ４、Ｘ５で流されながら第２案内壁１２へ向かい、第２案内壁１２に当った後、下方向に向きを変えて下降し、第２案内壁１２の下方にある空気噴出孔５から噴出する。
【００３８】
風Ｘ４は、送風路７へ流入した後、第１案内壁１１ａ、１１ｂと第２案内壁１２のいずれにも当ることなく直進し、一部はケース１の先端に当った後に向きを変えて、先端付近にある空気噴出孔５から噴出し、一部は他の空気噴出孔５から直接噴出する。
【００３９】
風Ｘ５は、送風路７へ流入した後、第１案内壁１２に当り、ここで下方向に向きを変えて下降し、第２案内壁１２の下方にある空気噴出孔５から噴出する。
【００４０】
なお、第２案内壁１２に当った風の一部は上方向に向うが、図５ではこの図示を省略してある。
【００４１】
上述した実施形態によると、ケース１内の送風路７に第１案内壁１１ａ、１１ｂおよび第２案内壁１２を設けたことにより、複数の空気噴出孔５から風を均一に噴出させることができる。これらの案内壁１１ａ、１１ｂ、１２を設けない場合は、送風路７に流入する風の風圧によって、ケース１内の先端側の圧力が高くなるので、先端付近の空気噴出孔５からは風が出やすくなるが、先端から離れた空気噴出孔５からは風が出にくくなり、毛髪に吹き付けられる風の分布が不均一となる。これに対して、案内壁１１ａ、１１ｂ、１２を設けた場合は、送風路７に流入した風が順次、案内壁１１ａ、１１ｂ、１２に当って分流し、それぞれの案内壁に対応する空気噴出孔５から噴出するので、各空気噴出孔５から噴出する風を均一化することができる。
【００４２】
また、上述した実施形態では、第１案内壁１１ａ、１１ｂが、空気噴出孔５の近傍に設けられていて、送風路７の先端側に向って空気噴出孔５より前方に位置しているので、第１案内壁１１ａ、１１ｂに当った風Ｘ２、Ｘ３を、容易に空気噴出孔５に導くことができる。このため、図１１で示した風の滞留（符号Ａ）や押し流し（符号Ｂ）によるロスが少なく、送風路７に流入した風を各空気噴出孔５から効率良く噴出させることができ、これによって十分な風量を確保することができる。
【００４３】
さらに、上述した実施形態では、第１案内壁１１ａ、１１ｂと反対側に、第２案内壁１２が設けられているので、図５で説明したように、第１案内壁１１ａ、１１ｂに当たって上方向、すなわち空気噴出孔５と反対方向へ流れる風（破線）を、第２案内壁１２によって下方向、すなわち空気噴出孔５の方向へ案内することができる。その結果、風のロスが一層少なくなり、空気噴出孔５から噴出する風の量をさらに増大させることができる。
【００４４】
また、上述した実施形態では、第１案内壁１１ａ、１１ｂと第２案内壁１２が、それぞれ円弧状の切欠き部１３ａ、１３ｂ、１４を有するアーチ形に形成されている（図４）。これらの切欠き部がないと、送風路７の開口面積が小さくなり、風の流れが各案内壁１１ａ、１１ｂ、１２によって妨げられるため、先端側の空気噴出孔５から噴出する風が弱くなる。しかるに、切欠き部１３ａ、１３ｂ、１４を設けたことで、送風路７の開口面積が増加し、風の流れが円滑となるので、各空気噴出孔５から噴出する風の均一化が担保される。
【００４５】
図６は、ブローブラシ１０の他の実施形態を示す模式図である。本実施形態においては、複数（ここでは２つ）の第２案内壁１２ａ、１２ｂが設けられており、案内壁１２ｂの高さは、案内壁１２ａの高さより高くなっている。すなわち、第２案内壁は、送風路７の先端側（図６で左側）に向って高さが高くなっている。また、３つの第１案内壁１１ａ、１１ｂ、１１ｃが設けられており、これらも送風路７の先端側に向って高さが高くなっている。そして、第１案内壁１１ａ、１１ｂ、１１ｃと第２案内壁１２ａ、１２ｂとは、送風路７に沿って交互に配列されている。
【００４６】
図６の実施形態によると、送風路７に流入した風が５つの案内壁１１ａ、１１ｂ、１１ｃ、１２ａ、１２ｂによってさらに細かく分流するので、各空気噴出孔５から噴出する風をより一層均一化することができる。
【００４７】
図７は、ブローブラシ１０の他の実施形態を示す模式図である。本実施形態においては、５つの空気噴出孔５の全てに対応して、それぞれ第１案内壁１１ａ、１１ｂ、１１ｃ、１１ｄ、１１ｅが設けられている。ここでも、第１案内壁１１ａ〜１１ｅは、送風路７の先端側に向って高さが高くなっている。一方、本実施形態においては、図５や図６の第２案内壁１２、１２ａ、１２ｂは設けられていない。
【００４８】
図７の実施形態によると、各空気噴出孔５ごとに第１案内壁１１ａ〜１１ｅが設けられているので、送風路７に流入した風は、順次、第１案内壁１１ａ〜１１ｅに案内されて、全ての空気噴出孔５から排出される。このため、ブラシ体２（図２）の全面から風を噴出させて、毛髪に吹き付けることができる。
【００４９】
図８は、ブローブラシ１０の他の実施形態を示す模式図である。本実施形態は、図７の実施形態の変形例である。図８においては、第１案内壁１１ａ〜１１ｅの先端部に、当該第１案内壁に当たった風が上方向、すなわち空気噴出孔５と反対方向へ流れるのを阻止する突出部１５ａ〜１５ｅが設けられている。これらの突出部１５ａ〜１５ｅは、送風路７へ流入する風に向って若干斜め上を向くように、第１案内壁１１ａ〜１１ｅから突出している。
【００５０】
図８の実施形態によると、図７のように第１案内壁１１ａ〜１１ｅに当って上方向に向おうとする風（破線）が発生するのを、突出部１５ａ〜１５ｅによって抑止することができる。このため、図５や図６のような第２案内壁１２、１２ａ、１２ｂをあえて設けなくても、送風路７へ流入した風の大部分を空気噴出孔５へ導くことができるので、空気噴出孔５から十分な量の風を噴出させることができる。
【００５１】
本発明は、上述した実施形態のみに限定されるものではなく、他にも以下に述べるような種々の実施形態を採用することができる。
【００５２】
図１〜図３においては、ケース１の一部を構成する基台１ｂと、ブリッスル３やテンションコーム４を有するブラシ体２とを別々に設けた例を挙げたが、基台１ｂとブラシ体２とを一体化してもよい。
【００５３】
図４においては、第１案内壁１１ａ、１１ｂと第２案内壁１２が、それぞれ円弧状の切欠き部１３ａ、１３ｂ、１４を有するアーチ形に形成されている例を挙げたが、図９に示すように、第１案内壁１１ａ、１１ｂと第２案内壁１２に、それぞれ台形状の切欠き部１６ａ、１６ｂ、１７を設けて、各案内壁をアーチ形に形成してもよい。
【００５４】
図１においては、ドライヤー本体２０がマイナスイオン発生部材２５と、遠赤外線発生部材２６とを備えている例を挙げたが、本発明では、ドライヤー本体２０にこれらの部材２５、２６が備わっていなくてもよい。
【００５５】
図７においては、図５や図６の第２案内壁１２、１２ａ、１２ｂが設けられていない例を挙げたが、必要に応じて、これらの第２案内壁１２、１２ａ、１２ｂを設けてもよい。同様に、図８においても、図５や図６の第２案内壁１２、１２ａ、１２ｂを設け、突出部１５ａ〜１５ｅで阻止できなかった上方向への風を、これらの第２案内壁で下方向へ案内するようにしてもよい。
【００５６】
その他、第１案内壁１１ａ〜１１ｅおよび第２案内壁１２、１２ａ、１２ｂの数や形状は、図示したものに限定されず、適宜選定することができる。
【符号の説明】
【００５７】
１    ケース
１ａ  ケース本体
１ｂ  台座
１ｃ  開口部
２    ブラシ体
３    ブリッスル
５    空気噴出孔
７    送風路
１０  ブローブラシ（ヘアドライヤー用ブラシ）
１１ａ〜１１ｅ  第１案内壁
１２、１２ａ、１２ｂ  第２案内壁
１３ａ、１３ｂ、１４、１６ａ、１６ｂ、１７  切欠き部
２０  ヘアドライヤー本体
２２  空気吹出口
２５  マイナスイオン発生部材
２６  遠赤外線発生部材
１００  ブラシ付ヘアドライヤー
【図１】
2019024680.tif 000003
【図２】
2019024680.tif 000004
【図３】
2019024680.tif 000005
【図４】
2019024680.tif 000006
【図５】
2019024680.tif 000007
【図６】
2019024680.tif 000008
【図７】
2019024680.tif 000009
【図８】
2019024680.tif 000010
【図９】
2019024680.tif 000011
【図１０】
2019024680.tif 000012
【図１１】
2019024680.tif 000013